(57)【要約】【課題】階層の深さが異なるノードを持つ設備体系でも、同じ意味付けをもつノードを同じプラント階層に対応付けることができる管理システムを実現する。【解決手段】機器管理システムと設備管理システムとを用いて設備管理を行う管理システムである。機器管理システムが管理するプラント階層及び設備管理システムが管理する設備体系がツリー構造の階層をなしている。設備管理システムの設備体系と機器管理システムのプラント階層との対応付けをノード毎に指定する。【選択図】      図１
2004252700.tif 000002
【特許請求の範囲】
【請求項１】
プラントに存在する機器を管理する機器管理システムと、この機器管理システムよりも広い範囲を管理範囲とし、プラントを含む設備を管理する設備管理システムとを用いて設備管理を行い、前記機器管理システムが管理するプラント階層及び前記設備管理システムが管理する設備体系がツリー構造の階層をなしている管理システムにおいて、
前記設備体系に存在するノード毎に、設備体系とプラント階層の対応付けを指定する対応付け手段と、
この対応付け手段で指定した対応付けに従って、ノードをプラント階層に割り付ける割付手段と、
を有することを特徴とする管理システム。
【請求項２】
前記対応付け手段は、前記設備体系に存在するノードの中で所定のノードを親ノードとし、この親ノードの下位階層に存在する子ノードに対して設備体系とプラント階層の対応付けを指定し、この対応付けは親ノードに対して指定した対応付けよりも優先させることを特徴とする請求項１に記載の管理システム。
【請求項３】
前記設備管理システムで管理する設備体系のどのノードを機器管理システムのルートとするかを指定する指定手段を有し、前記対応付け手段は指定したルート位置がある階層の直下にある階層から設備体系とプラント階層の対応付けを始めることを特徴とする請求項１または２に記載の管理システム。
【請求項４】
前記指定手段で指定したルート位置に複数のノードが存在していて、これらのノードにぶら下がっている階層の深さが異なるときは、前記対応付け手段は各ノード毎に設備体系とプラント階層の対応付けを指定することを特徴とする請求項３に記載の管理システム。
【請求項５】
前記指定手段を機器管理システムに設けたことを特徴とする請求項３または４に記載の管理システム。
【発明の詳細な説明】
【０００１】
【発明の属する技術分野】
本発明は、プラントに存在する機器を管理する機器管理システムと、この機器管理システムよりも広い範囲を管理範囲とし、プラントを含む設備を管理する設備管理システムとを用いて設備管理を行う管理システムに関するものである。
【０００２】
【従来の技術】
設備管理システムは、プラント全体を管理するシステムである。ここでいう管理は、予防保全、予知保全等の診断も含む。
機器管理システムは、プラントに存在する機器を管理するシステムで、例えばＰＲＭ（Ｐｌａｎｔ  Ｒｅｓｏｕｒｃｅ  Ｍａｎａｇｅｒ）と呼ばれるシステムがある。
設備管理システムは、例えばプラントＡ、プラントＢ、プラントＣを管理する。機器管理システムは、例えばプラントＡに存在する機器ａ１，ａ２，ａ３を管理する。
【０００３】
機器管理システムと設備管理システムとを用いた管理システムでは、設備管理システムが管理する設備体系を機器管理システムが管理するプラント階層に変換する機能がある。
設備管理システムの設備体系と機器管理システムのプラント階層は、どちらもツリー構造をなしている。機器管理システムのプラント階層は最大５階層だが、一般的に設備管理システムの設備体系はそれよりも多い階層を持っている。また、機器管理システムで管理するプラント階層は、設備管理システムの設備体系の一部となっている。このため、管理システムでは設備管理システムの設備体系の一部を機器管理システムのプラント階層に変換している。
この変換のルールとして、
（ａ）設備管理システムの設備体系のどのノードを機器管理システムのルートとするか
（ｂ）設備管理システムの設備体系の各階層と機器管理システムのプラント階層の各階層の対応
を指定している。具体例を挙げて説明する。
【０００４】
図４は従来の管理システムにおける階層変換のしかたの一例を示した図である。
図４で、対応表１はノードの種別とノードを対応付けている。ノードは、例えば工場自体、工場に存在する設備、機械、部品等である。ノードは設備体系の階層に存在する。ノードの種別はＡ〜Ｅの５種類になっている。例えば、ノード種別Ａは建物、ノード種別Ｂは設備、ノード種別Ｃはポンプ、ノード種別Ｄはポンプの部品である。
対応表２は、設備体系の階層と、プラント階層と、プラント階層の記号を対応付けている。設備体系の階層の深さは５段階になっている。プラント階層はＳ、Ａ、Ｃ、Ｕ、Ｅの５種類がある。
【０００５】
階層構造３はノードを設備体系に割り付けている。これは変換前の階層構造である。この割付は対応表１で定義されている。対応表２に従って設備体系の階層をプラント階層に対応付けることによって、階層構造３は階層構造４に変換される。この変換によりノードはプラント階層に割り付けられる。なお、階層構造３の□内の文字はノードの種別を表す。階層構造４の□内の文字はプラント階層の種別を表す。
機器管理システムでルート位置指定を行う。指定したルート位置がある階層の直下にある階層から設備体系とプラント階層の対応付けを始める。ルートは例えば工場全体である。
【０００６】
【特許文献１】
特開平４−２８２７０２号公報
【特許文献２】
特開平８−１２９５５８号公報
【０００７】
しかし、図４の階層変換のしかたでは、階層の対応関係を一つしか指定できない。このため、階層の深さとノードの種別が異なるような階層を持った設備管理システムの設備体系を、機器管理システムのプラント階層に変換するときに不都合が生じる。すなわち、従来の変換のしかたでは、設備体系の階層を機器管理システムのプラント階層に一意的に対応付けているため、意味付けの異なるノード（種別の異なるノード）が同じプラント階層に対応付けられてしまう。図４の例では、ノードの種別ＢのノードＢ及びＦと、ノードの種別ＥのノードＪが同じプラント階層ＡＲＥＡに対応付けられてしまう。
【０００８】
【発明が解決しようとする課題】
本発明は上述した問題点を解決するためになされたものであり、設備管理システムの設備体系と機器管理システムのプラント階層との対応付けをノード毎に指定することによって、階層の深さが異なるノードを持つ設備体系でも、同じ意味付けをもつノードを同じプラント階層に対応付けることができる管理システムを実現することを目的とする。
【０００９】
【課題を解決するための手段】
本発明は次のとおりの構成になった管理システムである。
【００１０】
（１）プラントに存在する機器を管理する機器管理システムと、この機器管理システムよりも広い範囲を管理範囲とし、プラントを含む設備を管理する設備管理システムとを用いて設備管理を行い、前記機器管理システムが管理するプラント階層及び前記設備管理システムが管理する設備体系がツリー構造の階層をなしている管理システムにおいて、
前記設備体系に存在するノード毎に、設備体系とプラント階層の対応付けを指定する対応付け手段と、
この対応付け手段で指定した対応付けに従って、ノードをプラント階層に割り付ける割付手段と、
を有することを特徴とする管理システム。
【００１１】
（２）前記対応付け手段は、前記設備体系に存在するノードの中で所定のノードを親ノードとし、この親ノードの下位階層に存在する子ノードに対して設備体系とプラント階層の対応付けを指定し、この対応付けは親ノードに対して指定した対応付けよりも優先させることを特徴とする（１）に記載の管理システム。
【００１２】
（３）前記設備管理システムで管理する設備体系のどのノードを機器管理システムのルートとするかを指定する指定手段を有し、前記対応付け手段は指定したルート位置がある階層の直下にある階層から設備体系とプラント階層の対応付けを始めることを特徴とする（１）または（２）に記載の管理システム。
【００１３】
（４）前記指定手段で指定したルート位置に複数のノードが存在していて、これらのノードにぶら下がっている階層の深さが異なるときは、前記対応付け手段は各ノード毎に設備体系とプラント階層の対応付けを指定することを特徴とする（３）に記載の管理システム。
【００１４】
（５）前記指定手段を機器管理システムに設けたことを特徴とする（３）または（４）に記載の管理システム。
【００１５】
【発明の実施の形態】
以下図面を用いて本発明を詳しく説明する。
図１は本発明の一実施例を示す構成図である。
図１で、機器管理システム１０と設備管理システム３０はネットワーク４０上に接続されている。
機器管理システム１０では、ＰＲＭクライアント１１、フィールド通信サーバ１２及びＰＲＭサーバ１３がネットワーク１４に接続されている。
フィールド通信サーバ１２は、フィールド通信機器１５からデータを取得する。
ＰＲＭサーバ１３は、管理対象となる機器の情報を持っている。
ＰＲＭクライアント１１は、フィールド通信サーバ１２及びＰＲＭサーバ１３に対してデータを要求する。
【００１６】
設備管理システム３０では、クライアント３１及びサーバ３２がネットワーク３３に接続されている。
サーバ３２はデータベース３４を保有する。データベース３４には、設備管理システム３０で管理する設備の情報が格納されている。この設備情報は、設備管理システム３０の設備体系の階層に従った表現で記述されている。クライアント３１はサーバ３２に対してデータを要求して取得する。
【００１７】
機器管理システム１０で、ＰＲＭサーバ１３は、データベース１６を保有する。データベース１６には、機器管理システム１０で管理する機器の情報が書かれている。この機器情報はプラントの階層構造に従った表現で記述されている。
ＰＲＭサーバ１３で、対応付け手段１３１は、設備体系に存在するノード毎に、設備体系とプラント階層の対応付けを指定する。
割付手段１３２は、対応付け手段１３１で指定した対応付けに従って、ノードをプラント階層に割り付ける。
指定手段１３３は、設備管理システム３０で管理する設備体系のどのノードを機器管理システム１０のルートとするかを指定する。対応付け手段１３１は指定したルート位置がある階層の直下にある階層から設備体系とプラント階層の対応付けを始める。
【００１８】
図２は図１の管理システムにおける階層変換のしかたの一例を示した図である。
図２で、機器管理システムの指定手段１３３でルート位置を指定する。指定したルート位置がある階層の直下にある階層から設備体系の階層とプラント階層の対応付けを始める。
対応表５１はノードの種別とノードを対応付けている。ノードの種別はＡ〜Ｅの５種類になっている。ノードの種別は前述した従来例におけるノードの種別と同様である。
対応表５２は、プラント階層対応指定位置Ａにおける設備体系の階層の深さと、プラント階層と、プラント階層の記号を対応付けている。指定位置Ａでは、設備体系の階層の深さは４段階になっている。
対応表５３は、プラント階層対応指定位置Ｂにおける設備体系の階層と、プラント階層と、プラント階層の記号を対応付けている。指定位置Ｂでは、設備体系の階層の深さは５段階になっている。
【００１９】
階層構造５４はノードを設備体系の階層に割り付けている。これは変換前の階層構造である。この割付は対応表５１で定義されている。
プラント階層対応指定位置Ａにぶら下がる階層は、対応表５２に従って設備体系の階層をプラント階層に対応付ける。プラント階層対応指定位置Ｂにぶら下がる階層は、対応表５３に従って設備体系の階層をプラント階層に対応付ける。これにより、階層構造５４は階層構造５５に変換される。この変換によりノード毎に設備体系とプラント階層の対応付けを指定できる。
なお、階層構造５４の□内の文字はノードの種別を表す。階層構造５５の□内の文字はプラント階層の種別を表す。
【００２０】
このような変換をすることにより、指定位置Ａと指定位置Ｂに示すように、階層の深さが異なるノードを持つ設備体系でも、同じ意味付けをもつノードを同じプラント階層に対応付けることができる。例えば、ノードの種別ＢのノードＢ、Ｆ及びノードＫが同じプラント階層ＰＲＯＣＥＳＳ  ＣＥＬＬに対応付けられる。ノードの種別ＥのノードＪはプラント階層ＡＲＥＡに対応付けられる。
【００２１】
設備管理システムの設備体系を機器管理システムのプラント階層に変換する際のルールとして、
（ａ）設備管理システムの設備体系のどのノードを機器管理システムのルートとするか
（ｂ）設備管理システムの設備体系の各階層と機器管理システムのプラント階層の各階層の対応
を指定する。ここで（ｂ）は設備管理システムの設備体系の各ノードごとに指定することができる。
図２の例ではノードＡ以下とノードＪ以下とで階層の深さが異なっているので、それぞれのノード以下に対して対応表５２及び５３のとおり別々の階層の対応を指定する。
【００２２】
上述したように、指定したルート位置に複数のノードが存在していて、これらのノードにぶら下がっている階層の深さが異なるときは、対応付け手段１３１は各ノード毎に設備体系の階層とプラント階層の対応付けを指定する。
【００２３】
図３は図１の管理システムにおける階層変換のしかたの他の例を示した図である。
図３の階層変換は図２の階層変換と次の点が異なる。
図３の階層変換では、ノードＡの子ノードであるノードＦに対しても設備体系とプラント階層の対応付けを指定している。ノードＦに対する対応付けの指定はノードＡに対してされた対応付けの指定より優先する。ノードＦに対する対応付けの指定はプラント階層対応指定位置Ｃから行う。
【００２４】
図３で、対応表６１でノードの種別とノードを対応付けている。
対応表６２、６３及び６４は、プラント階層対応指定位置Ａ、Ｂ及びＣにおける設備体系の階層と、プラント階層と、プラント階層の記号を対応付けている。対応表６２、６３及び６４に基づいて階層構造６５は階層構造６６に変換される。この変換によってもノード毎に設備体系とプラント階層の対応付けを指定できる。
対応表６４はノードＦに対して指定した対応付けである。対応表６２はノードＡに対して指定した対応付けである。対応表６４の対応付けは対応表６２の対応付けよりも優先する。
【００２５】
図３の階層変換では、設備体系の階層に存在するノードの中で所定のノードを親ノードとし、この親ノードの下位階層に存在する子ノードに対して設備体系の階層とプラント階層の対応付けを指定し、この対応付けは親ノードに対して指定した対応付けよりも優先させる。これによって、親ノードで指定された設備体系とプラント階層の対応付けを、子ノードで別のものを指定して入れ替えることで、さらに柔軟に階層の対応付けをすることができる。
【００２６】
【発明の効果】
本発明によれば次の効果が得られる。
【００２７】
請求項１及び請求項４に記載の発明では、設備管理システムの設備体系と機器管理システムのプラント階層との対応付けをノード毎に指定している。これによって、階層の深さが異なるノードを持つ設備体系でも、同じ意味付けをもつノードを同じプラント階層に対応付けることができる。すなわち、階層の深さが異なるノードを持つ設備体系でも、階層に付けられた意味（ノードの種別）を崩すことなくノードをプラント階層に対応付けることができる。
【００２８】
請求項２に記載の発明によれば、親ノードの下位階層に存在する子ノードに対して設備体系とプラント階層の対応付けを指定し、この対応付けは親ノードに対して指定した対応付けよりも優先させている。これによって、親ノードで指定された設備体系とプラント階層の対応付けを、子ノードで別のものを指定して入れ替えることで、さらに柔軟に階層の対応付けをすることができる。
【００２９】
請求項３記載の発明によれば、設備体系のどのノードを機器管理システムのルートとするかを指定手段で指定し、ルート位置がある階層の直下にある階層から設備体系の階層とプラント階層の対応付けを始めている。これによって、任意の位置から柔軟に階層の対応付けを行うことができる。
【００３０】
請求項５に記載の発明では、ルート位置を指定する指定手段を機器管理システムに設けている。これによって、管理範囲の狭い機器管理システム側から対応付けの開始位置を決められる。
【００３１】
【図面の簡単な説明】
【図１】本発明の一実施例を示す構成図である。
【図２】本発明の動作説明図である。
【図３】本発明の動作説明図である。
【図４】従来の管理システムにおける階層変換のしかたの一例を示した図である。
【符号の説明】
１０  機器管理システム
３０  設備管理システム
１３１  対応付け手段
１３２  割付手段
１３３  指定手段
【図１】
2004252700.tif 000003
【図２】
2004252700.tif 000004
【図３】
2004252700.tif 000005
【図４】
2004252700.tif 000006